(57)【要約】【課題】指示待ちの印刷ジョブの印刷を開始させる際の操作性を高める。【解決手段】印刷データ受信後、開始操作を受け付けて印刷を開始する第１の印刷ジョブと、ユーザからの指示なしで印刷を開始する第２の印刷ジョブを実行可能な印刷ジョブ実行手段と、第１の印刷ジョブが開始操作を受け付ける前の状態を指示待ち状態として取り扱い、第１の印刷ジョブが開始操作を受け付けた後、印刷終了前の状態、および、第２の印刷ジョブが印刷終了前の状態を処理中状態として取り扱う印刷ジョブ管理手段と、指示待ち状態の印刷ジョブと処理中状態の印刷ジョブとをタブによって切り替え可能な別画面で表示し、指示待ち状態の印刷ジョブがあれば、指示待ち状態の印刷ジョブを表示する画面を初期表示し、指示待ち状態の印刷ジョブがなければ、処理中状態の印刷ジョブを表示する画面を初期表示するジョブ状態表示手段と、を備える印刷装置。【選択図】  図２
2010093456.tif 000002
【特許請求の範囲】
【請求項１】
印刷データ受信後、ユーザからの開始操作を受け付けて印刷の実行を開始する第１の印刷ジョブと、ユーザからの指示なしで印刷の実行を開始する第２の印刷ジョブを実行可能な印刷ジョブ実行手段と、
前記第１の印刷ジョブがユーザからの開始操作を受け付ける前の状態を指示待ち状態として取り扱い、前記第１の印刷ジョブがユーザからの開始操作を受け付けた後、印刷終了前の状態、および、前記第２の印刷ジョブが印刷終了前の状態を処理中状態として取り扱う印刷ジョブ管理手段と、
指示待ち状態の印刷ジョブのリストと処理中状態の印刷ジョブのリストとをタブによって切り替え可能な別画面で表示するジョブ状態表示手段とを備え、
前記ジョブ状態表示手段は、指示待ち状態の印刷ジョブがあれば、前記指示待ち状態の印刷ジョブのリストを表示する画面を初期表示し、指示待ち状態の印刷ジョブがなければ、前記処理中状態の印刷ジョブのリストを表示する画面を初期表示することを特徴とする印刷装置。
【請求項２】
請求項１に記載の印刷装置であって、
前記指示待ち状態の印刷ジョブのリストを表示する画面には、前記ユーザからの開始操作を受け付けるための領域が含まれていることを特徴とする印刷装置。
【請求項３】
請求項１に記載の印刷装置であって、
ログイン認証によってユーザを特定するユーザ情報管理手段と、
前記印刷装置の状態に関する情報とユーザに関する情報とをタブによって切り替え可能な別画面で表示する状態確認表示手段とをさらに備え、
前記状態確認表示手段は、前記ログイン認証によってユーザが特定されていれば、前記ユーザに関する情報を表示する画面を初期表示し、前記ログイン認証によってユーザが特定されていなければ、前記印刷装置の状態に関する情報を表示する画面を初期表示することを特徴とする印刷装置。
【請求項４】
請求項１に記載の印刷装置であって、
印刷ジョブに対する課金条件を設定可能な課金処理手段と、
前記印刷装置における印刷枚数を含む履歴情報を管理する履歴情報管理手段と、
前記印刷装置における印刷枚数に関する情報と課金に関する情報とをタブによって切り替え可能な別画面で表示するカウント表示手段とをさらに備え、
前記カウント表示手段は、前記課金条件が設定されていれば、前記課金に関する情報を表示する画面を初期表示し、前記課金条件が設定されていなければ、前記印刷装置における印刷枚数に関する情報を表示する画面を初期表示することを特徴とする印刷装置。
【発明の詳細な説明】
【技術分野】
【０００１】
本発明は、印刷装置に係り、特に、印刷ジョブの状態に関する情報を表示する印刷装置に関する。
【背景技術】
【０００２】
特許文献１、特に第２図、第３図等に記載されているように、複数の印刷ジョブを受け付けることができる印刷装置では、印刷ジョブの状態に応じて、実行待ちの印刷ジョブと処理中のジョブとに区分し、印刷ジョブの状態を画面に表示することが行なわれている。このとき、処理待ち状態の印刷ジョブと処理中状態の印刷ジョブとを、タブによって切り替え可能な別画面でリスト表示することが一般的である。このような表示画面制御方法では、処理中状態の印刷ジョブを表示する画面が初期表示され、ユーザが必要に応じてタブを操作することで実行待ち状態の印刷ジョブを表示する画面に切り替えるようにしている。これは、処理中状態の印刷ジョブに関する情報の方が、実行待ち状態の印刷ジョブに関する情報よりも、ユーザがアクセスする状況が多いと考えられ、ユーザの利便性を考慮したものである。
【特許文献１】特開２０００−７５９８１号公報
【発明の開示】
【発明が解決しようとする課題】
【０００３】
しかしながら、実行待ち状態の印刷ジョブの中には、ユーザからの開始操作を受け付けて印刷の実行を開始する、いわゆる指示待ちの印刷ジョブもある。指示待ちの印刷ジョブをユーザが実行させようとする場合、従来の表示画面制御方法では、初期状態で処理中状態の印刷ジョブを表示する画面が表示されるため、ユーザは、タブを操作して指示待ち状態の印刷ジョブを表示する画面に切り替えてから印刷開始の指示を行なわなくてはならない。このため、指示待ちの印刷ジョブの印刷を開始させる際の操作性が十分とは言い難い。
【０００４】
本発明は、このような状況を鑑みてなされたものであり、指示待ちの印刷ジョブの印刷を開始させる際の操作性を高めることを目的とする。
【課題を解決するための手段】
【０００５】
上記課題を解決するため、本発明の印刷装置は、印刷データ受信後、ユーザからの開始操作を受け付けて印刷の実行を開始する第１の印刷ジョブと、ユーザからの指示なしで印刷の実行を開始する第２の印刷ジョブを実行可能な印刷ジョブ実行手段と、前記第１の印刷ジョブがユーザからの開始操作を受け付ける前の状態を指示待ち状態として取り扱い、前記第１の印刷ジョブがユーザからの開始操作を受け付けた後、印刷終了前の状態、および、前記第２の印刷ジョブが印刷終了前の状態を処理中状態として取り扱う印刷ジョブ管理手段と、指示待ち状態の印刷ジョブのリストと処理中状態の印刷ジョブのリストとをタブによって切り替え可能な別画面で表示するジョブ状態表示手段とを備え、前記ジョブ状態表示手段は、指示待ち状態の印刷ジョブがあれば、前記指示待ち状態の印刷ジョブのリストを表示する画面を初期表示し、指示待ち状態の印刷ジョブがなければ、前記処理中状態の印刷ジョブのリストを表示する画面を初期表示する。
【０００６】
本発明によれば、指示待ち印刷ジョブがある場合は、指示待ち印刷ジョブを表示する画面が初期表示されるため、ユーザは、タブ操作によって画面を切り替えることなく即座に指示待ちの印刷ジョブを選択して印刷指示をすることができる。したがって、指示待ちの印刷ジョブの印刷を開始させる際の操作性が高まることになる。このため、前記指示待ち状態の印刷ジョブのリストを表示する画面には、前記ユーザからの開始操作を受け付けるための領域が含まれていることが望ましい。
【０００７】
さらに、ログイン認証によってユーザを特定するユーザ情報管理手段と、前記印刷装置の状態に関する情報とユーザに関する情報とをタブによって切り替え可能な別画面で表示する状態確認表示手段とをさらに備え、前記状態確認表示手段は、前記ログイン認証によってユーザが特定されていれば、前記ユーザに関する情報を表示する画面を初期表示し、前記ログイン認証によってユーザが特定されていなければ、前記印刷装置の状態に関する情報を表示する画面を初期表示するようにしてもよい。
【０００８】
あるいは、印刷ジョブに対する課金条件を設定可能な課金処理手段と、前記印刷装置における印刷枚数を含む履歴情報を管理する履歴情報管理手段と、前記印刷装置における印刷枚数に関する情報と課金に関する情報とをタブによって切り替え可能な別画面で表示するカウント表示手段とをさらに備え、前記カウント表示手段は、前記課金条件が設定されていれば、前記課金に関する情報を表示する画面を初期表示し、前記課金条件が設定されていなければ、前記印刷装置における印刷枚数に関する情報を表示する画面を初期表示するようにしてもよい。
【発明の効果】
【０００９】
本発明によれば、指示待ちの印刷ジョブの印刷を開始させる際の操作性を高めることができる。
【発明を実施するための最良の形態】
【００１０】
＜システム構成＞
本発明の実施の形態について図面を参照して説明する。図１は、本実施形態に係るネットワーク印刷システムの構成の一例を示す図である。本図に示すようにネットワーク印刷システムは、印刷装置１０と複数台のパーソナルコンピュータ（ＰＣ）２０ａ、２０ｂ、２０ｃ、２０ｄ…（以下ではＰＣ２０で代表させる）がコンピュータネットワーク７０に接続されて構成される。コンピュータネットワーク７０は代表的にはＬＡＮ（Local Area Network）とすることができる。ただし、本発明は、ネットワーク印刷システムに限られず、ＰＣ２０と印刷装置１０とがローカルに接続されたスタンドアロン型の印刷システム、印刷装置１０単体で構成された印刷システム等にも適用することができる。
【００１１】
印刷装置１０は、いわゆる複合機であり、ＰＣ２０から送られた印刷データに基づく印刷を行なうプリンタ機能に加えて、原稿台に置かれた原稿の画像を読み取って複写印刷を行なうコピー機能および原稿台に置かれた原稿の画像を読み取ってＰＣ２０に出力したり、格納したりするスキャナ機能を備えている。また、電話回線に接続して画像データの送受信を行なうファクシミリ機能をさらに備えさせるようにしてもよい。
【００１２】
図２は、本実施形態のネットワーク印刷システムにおける印刷装置１０とＰＣ２０の機能構成を示すブロック図である。本図に示すように印刷装置１０は、印刷実行部１１０、画像読取部１２０、画像処理部１３０、設定管理部１４０、ジョブ管理部１５０、操作パネル１６０、通信処理部１７０、表示制御部１８０、ＩＣカードリーダ１９０を備えている。印刷装置１０における制御的な処理を行なう画像処理部１３０、設定管理部１４０、ジョブ管理部１５０、表示制御部１８０等は、例えば、印刷装置１０内に備えられたＣＰＵ、メモリ、画像処理装置、ハードディスク装置等によって機能モジュールとして構成することができる。
【００１３】
印刷実行部１１０は、画像形成媒体を用いて印刷用紙に画像形成することで印刷動作を行なう印刷機構を有している。本実施形態では、画像形成媒体としてインクを用い、印刷用紙を覆う幅を有する印字ヘッドからインクをライン単位で吐出して印刷を実行するインクジェット方式の印刷機構を採用しているものとする。ただし、シリアル型のインクジェット方式の印刷機構を採用したり、画像形成媒体としてトナーを用い、トナーを用紙に定着させることで印刷を行なう電子写真方式の印刷機構を採用したりしてもよい。また、印刷実行部１１０は、印刷用紙の給排紙機構および搬送機構を含んでいる。
【００１４】
画像読取部１２０は、原稿台、受光素子、光源、レンズ、走査機構等を備え、原稿台に置かれた原稿の画像データを読み取って電気信号に変換し画像処理部１３０に出力する。画像読取部１２０は、印刷装置１０の筐体内部に設置してもよいし、印刷装置１０の筐体外部に独立して設置してもよい。
【００１５】
画像処理部１３０は、ＰＣ２０から送られた印刷データあるいは画像読取部１２０が読み取った画像データに対する画像処理を行なう。画像処理部１３０が行なう画像処理は、例えば、印刷データの展開処理、画像データの色変換処理、二値化処理、中間調処理等である。
【００１６】
設定管理部１４０は、印刷装置１０に関する諸設定および印刷装置１０のユーザに関する諸設定を管理する機能部である。設定管理部１４０は、これらの設定を操作パネル１６０に表示する設定画面を介して受け付けることができる。また、設定画面をＷｅｂページとして出力し、後述するＰＣ２０のブラウザ部２３０を介して受け付けることができる。設定管理部１４０の詳細については後述する。
【００１７】
ジョブ管理部１５０は、印刷装置１０がユーザから受け付けたジョブの管理を行なう。ジョブには、印刷機能を使用した印刷ジョブ、スキャナ機能を使用した画像読取ジョブ、コピー機能を使用した複写ジョブ等が含まれる。ジョブの管理には、例えば、ジョブの実行順序の制御、エラー対処、ログ記録等が含まれる。ジョブ管理部１５０の詳細については後述する。
【００１８】
操作パネル１６０は、例えば、タッチパネル方式の表示装置を用いることができる。操作パネル１６０は、表示制御部１８０の制御によって、操作メニューや印刷装置１０の設定内容を表示したり、操作メニューを介してユーザから指示を受け付けたりする。
【００１９】
通信処理部１７０は、コンピュータネットワーク７０を介してＰＣ２０との通信を行なうために、接続形態に応じたプロトコル処理を行なう。例えば、ＬＡＮ接続の場合には、ＴＣＰ／ＩＰによる通信処理を行なう。
【００２０】
表示制御部１８０は、操作パネル１６０における画面遷移および操作受付を制御する機能部であり、操作パネル１６０とともにジョブ状態表示手段として機能する。具体的には、指示待ち状態の印刷ジョブのリストと処理中状態の印刷ジョブのリストとをタブによって切り替え可能な別画面で表示する。この際に、指示待ち状態の印刷ジョブがあれば、指示待ち状態の印刷ジョブのリストを表示する画面を初期表示し、指示待ち状態の印刷ジョブがなければ、処理中状態の印刷ジョブのリストを表示する画面を初期表示する。
【００２１】
ＩＣカードリーダ１９０は、ＩＣカード４０に記録された情報を読み取る。本実施形態では、ＩＣカード４０に、ユーザ登録されたユーザの識別情報を記録しておき、ＩＣカードリーダ１９０でＩＣカード４０を読み取ることで、ユーザ認証を行えるようになっている。ただし、ユーザ認証に用いるユーザの識別情報を記録させる媒体はＩＣカード４０に限られない。例えば、ＵＳＢメモリ、ＲＦタグその他の記録媒体を用いることができる。この場合、印刷装置１０は記録媒体に対応した読取装置を用いるようにする。
【００２２】
図２に示すように、ＰＣ２０は、プリンタドライバ部２１０、スキャナドライバ部２２０、ブラウザ部２３０、通信処理部２４０を備えている。ＰＣ２０は、図示しないオペレーティングシステムによりユーザインタフェース、ファイル管理、ユーザ管理等の基本的な動作が規定される。一般に、オペレーティングシステムは、ログイン機能を備えており、そのＰＣ２０のユーザをログインＩＤ等によって特定できるようになっている。
【００２３】
プリンタドライバ部２１０は、印刷装置１０に対応して開発されたプリンタドライバプログラムをＰＣ２０のＣＰＵが実行することにより形成される。プリンタドライバ部２１０は、ユーザからの指示に基づいて、印刷対象となるドキュメント等に基づく印刷データを生成して、印刷装置１０に出力する処理を行なう。
【００２４】
プリンタドライバ部２１０は、ユーザから暗証番号付き印刷ジョブの設定を受け付けることができる。暗証番号付き印刷ジョブは、プリンタドライバ部２１０における印刷指示の際に、暗証番号を設定しておき、印刷装置１０に印刷データを送信後、印刷装置１０の操作パネル１６０において、プリンタドライバ部２１０で設定した暗証番号を入力することで、印刷実行が開始される印刷ジョブである。したがって、暗証番号付きジョブは、指示待ち印刷ジョブとして扱われることになる。
【００２５】
スキャナドライバ部２２０は、印刷装置１０の画像読取部１２０に対応して開発されたスキャナドライバプログラムをＰＣ２０のＣＰＵが実行することにより形成される。スキャナドライバ部２２０は、ユーザからの指示に基づいて、印刷装置１０における画像読取処理を制御する処理を行なう。
【００２６】
ブラウザ部２３０は、Ｗｅｂページを表示する機能を有しており、本実施形態では印刷装置１０の設定管理部１４０、ジョブ管理部１５０が提供する設定画面等を表示するとともに、設定画面上でユーザからの操作を受け付けて設定管理部１４０、ジョブ管理部１５０に出力する。
【００２７】
通信処理部２４０は、コンピュータネットワーク７０を介して印刷装置１０との通信を行なうために、接続形態に応じたプロトコル処理を行なう。例えば、ＬＡＮ接続の場合には、ＴＣＰ／ＩＰによる通信処理を行なう。
【００２８】
図３は、印刷装置１０の設定管理部１４０の主要な機能構成を示すブロック図である。本図に示すように設定管理部１４０は、印刷装置設定管理部１４１、設定テーブル１４２、ユーザ情報管理部１４３、ユーザ情報管理テーブル１４４、使用履歴管理テーブル１４５を備えている。
【００２９】
印刷装置設定管理部１４１は、装置設定管理手段として機能し、印刷装置１０に関する諸設定を管理者ユーザから受け付けて設定テーブル１４２に記録する。印刷装置に関する諸設定は、例えば、ＩＰアドレス等のネットワーク設定、オプション機能に関する設定等である。また、プリンタ機能、コピー機能、スキャナ機能ごとに、使用する際にログインが必要であるかログインせずに使用できるかの設定が含まれる。
【００３０】
また、印刷装置設定管理部１４１は、印刷装置１０に関する一般情報、システム情報を管理する。印刷装置１０に関する一般情報には、インク残量、各給紙装置に格納されている印刷用紙のサイズ、種類等が含まれ、システム情報には、機種名、シリアル番号、ファームウェアバージョン等が含まれる。これらの情報も設定テーブル１４２に記録される。
【００３１】
印刷装置１０では、ユーザを、一般ユーザと管理者ユーザとに区分しており、印刷装置１０に関する諸設定は管理者ユーザのみが行えるようになっている。ただし、印刷装置１０では、管理者ユーザに、管理者としてのログインと、一般ユーザとしてのログインの２つのログイン状態が可能としている。管理者としてのログイン状態では、印刷装置１０に関する諸設定に加え、ユーザ情報の登録変更処理、ジョブ管理処理等が行えるのに対し、一般ユーザとしてのログイン状態では、プリンタ機能、コピー機能、スキャナ機能を使用した通常の処理のみが行える。
【００３２】
ユーザ情報管理部１４３は、印刷装置１０を使用するユーザに関する情報を、管理者としてのログインしている管理者ユーザから受け付けてユーザ情報管理テーブル１４４に記録するとともに、印刷装置１０のユーザ毎の使用状況に関する情報を使用履歴管理テーブル１４５に記録する。また、ユーザ情報管理部１４３は、ユーザ認証手段としても機能し、ログイン処理によるユーザ認証を行なう。
【００３３】
ユーザ情報管理テーブル１４４は、例えば、図４に示すように、ユーザ名１４４ａ、パスワード１４４ｂ、ＰＣログインＩＤ１４４ｃ、所属グループ１４４ｄ、管理者権限１４４ｅ、プリンタモード許可１４４ｆ、コピーモード許可１４４ｇ、スキャナモード許可１４４ｈ、使用制限１４４ｉをユーザごとに記録する。
【００３４】
ここで、パスワード１４４ｂは、印刷装置１０を操作するためにログインする際の認証情報である。ＰＣログインＩＤ１４４ｃは、ＰＣ２０を介して印刷装置１０にログインする際の認証情報であり、ＰＣ２０のオペレーティングシステムにログインした際のユーザ識別情報を用いることができる。所属グループ１４４ｄは、ユーザをグループ別に管理する場合のカテゴリである。ユーザ情報管理部１４３は、グループに関する情報を図示しない別テーブルで管理するようにしてもよい。管理者権限１４４ｅは、管理者ユーザであるか否かを示す情報である。管理者ユーザは１名に限られず、複数名設定することができる。
【００３５】
プリンタモード許可１４４ｆ、コピーモード許可１４４ｇ、スキャナモード許可１４４ｈは、それぞれ、プリンタ機能の使用、コピー機能の使用、スキャナ機能の使用の可否を示す情報である。すなわち、印刷装置１０は、ユーザごとにプリンタ機能の使用、コピー機能の使用、スキャナ機能の使用のそれぞれについて許可するか許可しないかを独立して設定することができるようになっている。使用制限１４４ｉは、ユーザに所定期間内の印刷枚数制限、カラー印刷機能等の制限等の使用制限を設定する場合に、その制限内容を示す情報である。
【００３６】
使用履歴管理テーブル１４５は、ユーザごとに印刷装置１０の使用履歴を記録する。使用履歴の内容は、例えば、所定の集計期間中におけるプリント回数累計、コピー回数累計、原稿読み取り回数累計等とすることができる。ただし、より詳細な使用履歴を記録するようにしてもよい。例えば、個々の使用毎に使用時刻、カラー／モノクロ別、ページ数、部数等を記録してもよい。
【００３７】
図５は、印刷装置１０のジョブ管理部１５０の主要な機能構成を示すブロック図である。本図に示すようにジョブ管理部１５０は、ジョブ受付部１５１、チャージ処理部１５２、ジョブ処理部１５３、ログ情報管理部１５４を備えている。
【００３８】
ジョブ受付部１５１は、ユーザからジョブの受付を行なう。ジョブが新規印刷ジョブであればＰＣ２０から印刷データを受信することでジョブの受付を行ない、ジョブ内容が複写ジョブあるいは画像読取ジョブであれば操作パネル１６０を介してジョブの受付を行なう。この際に、印刷条件の設定等を受け付けることができる。
【００３９】
チャージ処理部１５２は、印刷装置１０における印刷ジョブに対して課金を行なう場合に、課金条件の設定を受け付けたり、課金情報を記録、管理したりする。課金条件は、例えば、印刷用紙のサイズ毎にカラー／白黒印刷別に単価を設定することで行なうことができる。
【００４０】
ジョブ処理部１５３は、受け付けたジョブの実行を制御する。ジョブ処理部１５３は、プリンタモードとしての動作、コピーモードとしての動作、スキャナモードとしての動作を行なうことができる。このため、プリンタモード時の処理を行なうプリンタモード処理部１５５、コピーモード時の処理を行なうコピーモード処理部１５６、スキャナモード時の処理を行なうスキャナモード処理部１５７を備えている。
【００４１】
プリンタモード処理部１５５は、印刷ジョブ実行部１５１１と、印刷ジョブ管理部１５１２とを備えている。印刷ジョブの実行を制御し、印刷実行部１１０に印刷を実行させる。印刷ジョブ実行部１５１１は、ユーザからの開始操作を受け付けて印刷の実行を開始する指示待ち印刷ジョブと、ユーザからの指示なしで印刷の実行を開始する通常印刷ジョブを実行可能である。
【００４２】
印刷ジョブ管理部１５１２は、指示待ち印刷ジョブがユーザからの開始操作を受け付ける前の状態を指示待ち状態として取り扱い、指示待ち印刷ジョブがユーザからの開始操作を受け付けた後、印刷終了前の状態、および、通常印刷ジョブが印刷終了前の状態を処理中状態として取り扱う。また、印刷が終了した印刷ジョブは終了ジョブとして取り扱う。
【００４３】
ログ情報管理部１５４は、履歴情報管理手段として機能し、印刷装置１０が実行したジョブに関するログを記録する。ジョブに関するログには、印刷枚数の情報が含まれる。ログ情報管理部１５４は、ログを記憶するためのログ情報記録領域１５４１を備えている。簡易設定記録領域１５４１は、例えば、ハードディスク装置を用いて構成することができる。
【００４４】
ログ情報記録領域１５４１は、ジョブ内容に対応したログを記録することができる。ジョブ内容が印刷ジョブの場合は、例えば、図６に示すように、ジョブ名１５４１ａ、状況１５４１ｂ、オーナー名１５４１ｃ、印刷時間１５４１ｄ、総ページ数１５４１ｅ、部数１５４１ｆ、受信日時１５４１ｇ、カラー／白黒１５４１ｈ、用紙サイズ１５４１ｉを記録する。ジョブ内容が複写ジョブ、画像読取ジョブの場合は、それぞれに応じた項目を記録するようにする。
【００４５】
ここで、ジョブ名１５４１ａは、例えば、印刷対象のファイル名とすることができ、状況１５４１ｂは、例えば、終了時の状況に応じて、正常終了、中断終了、エラー終了等とすることができる。オーナー名１５４１ａは、ジョブを指示したユーザ名である。印刷装置１０は、ログイン処理によりユーザ名を特定することができる。なお、後述するようにログイン処理が不要な機能を用いたジョブについては、オーナー名を特定せずにログ情報を記録する。受信日時１５４１ｇは、印刷ジョブを受信した日時である。カラー／白黒１５４１ｈは、印刷がカラーであるか白黒であるかを示し、用紙サイズ１５４１ｉは、印刷に用いた用紙サイズを示す。
＜ログイン処理＞
次に、上記構成の印刷装置１０におけるログイン処理について図７のフローチャートを参照して説明する。ここでは管理者ユーザにより数名のユーザ登録がすでになされているものとする。
【００４６】
まず、待機状態において、印刷装置１０は操作パネル１６０に図８に示すような待機画面５１０を表示する。なお、ＰＣ２０のブラウザ部２３０を用いて印刷装置１０にアクセスした場合もＰＣ２０の表示装置に同様の表示がなされる。
【００４７】
待機画面５１０には、ログインボタン５１１と、プリンタボタン５１２、コピーボタン５１３、スキャナボタン５１４が配置されている。プリンタボタン５１２、コピーボタン５１３、スキャナボタン５１４は、それぞれプリンタ機能、コピー機能、スキャナ機能を使用する際に選択するボタンである。
【００４８】
本例では、管理者ユーザが印刷装置設定管理部１４１でプリンタ機能、スキャナ機能を使用するためにはログインが必要であり、コピー機能の使用にログインが不要であるという設定を行なっているため、非ログイン状態ではプリンタ機能、スキャナ機能を選択するボタン５１２、５１４に錠マークが付され、使用できない旨が示されており、コピー機能を選択するボタン５１３は錠マークが付されずに、使用できる旨が示されている。
【００４９】
本画面でログインボタン５１１が押下されると（Ｓ１０１）、印刷装置１０は操作パネル１６０に図９に示すようなユーザ選択画面５２０を表示する（Ｓ１０２）。ユーザ選択画面５２０には、ユーザ情報管理テーブル１４４に登録されたユーザ名の一覧５２１が選択可能な状態で表示されており、ログインボタン５１１を押下したユーザは、自身のユーザ名が記されたボタンを押下することができる。
【００５０】
ユーザ名の選択を受け付けると、印刷装置１０は操作パネル１６０に図１０に示すようなパスワード入力画面５３０を表示する（Ｓ１０３）。パスワード入力画面５３０には、キーボタン群５３１が表示され、ログインボタン５１１を押下したユーザは、自身のパスワードを入力することができる。
【００５１】
パスワードの入力を受け付けた印刷装置１０は、ユーザ情報管理テーブル１４４に記録されたパスワード１４４ｂと入力されたパスワードとを照合させることで認証の可否を判断する（Ｓ１０４）。なお、パスワードの入力に代えて、ユーザの識別情報を記録したＩＣカード４０を用いて認証を行なうようにしてもよい。この場合は、ＩＣカード４０をＩＣカードリーダ１９０にかざすことでＩＣカード４０に記録された情報が読み取られ、認証を行なうことができる。また、ＰＣ２０のブラウザ部２３０でログインを行なう場合には、ＰＣ２０のログインＩＤを、オペレーティングシステムを介して取得すること等で認証を行なうようにしてもよい。これらの場合には、パスワードの入力は不要となる。
【００５２】
パスワードが不一致で認証不可の場合には（Ｓ１０４：Ｎｏ）、再度パスワードの入力を促すようにする。一方、パスワードが一致して認証された場合（Ｓ１０４：Ｙｅｓ）には、ユーザ情報管理テーブル１４４を参照して、認証されたユーザの管理者権限１４４ｅを取得し、認証されたユーザが管理者ユーザであるかどうかを判断する（Ｓ１０５）。
【００５３】
その結果、管理者ユーザではない場合（Ｓ１０５：Ｎｏ）は、一般ユーザとしてログインを許可する（Ｓ１１１）。図１１は、一般ユーザとしてログインした場合に操作パネル１６０に表示される一般ユーザログイン画面５４０の一例を示している。一般ユーザログイン画面５４０には、ログアウトボタン５４１、一般ユーザであることを示すアイコン５４２、プリンタボタン５４３、コピーボタン５４４、スキャナボタン５４５が配置されている。本例の一般ユーザは、管理者ユーザにより、プリンタ機能、コピー機能の使用が許可されており、スキャナ機能の使用は許可されていないものとする。このため、スキャナボタン５４５がグレイアウト表示され、選択できないようになっている。一般ユーザは、一般ユーザログイン画面５４０で使用する機能を選択し、処理を行なうことができる。処理終了後は、ログアウトボタン５４１を押下することで（Ｓ１１２：Ｙｅｓ）、ログアウトとなり、印刷装置１０は待機画面５１０の表示に戻る（Ｓ１０１）。
【００５４】
一方、管理者ユーザであった場合（Ｓ１０５：Ｙｅｓ）は、まず、管理者通常ログイン状態となる（Ｓ１０６）。管理者通常ログイン状態は、管理者設定に関する操作はできない状態であり、一般ユーザと同様に、プリンタ機能、コピー機能、スキャナ機能を使用可能な状態である。このため、通常の操作では不必要な管理者設定用の複雑なメニューが表示されてしまったり、印刷装置１０の設定を不用意に変更してしまったりすることを防ぐことができる。
【００５５】
図１２は、管理者通常ログイン状態で操作パネル１６０に表示される管理者通常ログイン画面５５０の一例を示している。管理者通常ログイン画面５５０には、ログアウトボタン５５１、管理者としてのログインでないことを示すために一般ユーザであることを示すアイコン５４２と同じ形状のアイコン５５２、プリンタボタン、コピーボタン、スキャナボタン、管理者ログインボタン５５３、管理者設定ボタン５５４が配置されている。管理者ユーザであっても、プリンタ・コピー・スキャナの通常の操作を行なう場合は管理者通常ログイン画面５５０で使用する機能を選択し処理を行なえば足りる。処理終了後は、ログアウトボタン５５１を押下することで（Ｓ１０７：Ｙｅｓ）、ログアウトとなり、印刷装置１０は待機画面５１０の表示に戻る（Ｓ１０１）。
【００５６】
管理者ログインボタン５５３は、管理者としてログインする場合に押下するボタンであり、管理者設定ボタン５５４は、管理者設定操作を行なうときに押下するボタンである。管理者ユーザであっても、管理者通常ログイン状態では、一般ユーザとしてのログインであり管理者設定操作はできないようになっているため、管理者設定ボタン５５４はグレイアウト表示され、押下できないようになっている。
【００５７】
管理者通常ログイン画面５５０で、管理者ログインボタン５５３が押下されると（Ｓ１０８：Ｙｅｓ）、管理者としてのログインである管理者管理ログイン状態となる（Ｓ１０９）。なお、よりセキュリティを高めるために、管理者ログインボタン５５３が押下されると、さらに管理者としてのパスワードの入力を求め、管理者としての認証を行なうようにしてもよい。この場合は、管理者用のパスワードを別途定めておき、ユーザ情報管理テーブル１４４に記録しておくようにする。
【００５８】
図１３は、管理者管理ログイン状態で操作パネル１６０に表示される管理者管理ログイン画面５６０の一例を示している。管理者管理ログイン画面５６０には、ログアウトボタン５６１、管理者としてのログインであることを示すために一般ユーザであることを示すアイコン５４２と異なる形状のアイコン５６２、プリンタボタン、コピーボタン、スキャナボタン、管理者ログインボタン５６３、管理者設定ボタン５６４が配置されている。管理者ログインボタン５６３は、強調表示され、管理者としてのログインであることが示されている。また、管理者設定操作を行える管理者としてのログインであるため管理者設定ボタン５６４が押下可能となっている。
【００５９】
管理者としてログインした管理者ユーザは、管理者設定ボタン５６４を押下することで、種々の管理者設定操作を行なうことができるようになる。また、ジョブ管理部１００にアクセスして、一般ユーザのジョブを表示させたり、削除したりすることができるようになる。管理者設定操作終了後は、ログアウトボタン５６１を押下することで（Ｓ１１０：Ｙｅｓ）、ログアウトとなり、印刷装置１０は待機画面５１０の表示に戻る（Ｓ１０１）。また、管理者ログインボタン５６３を再度押下することで管理者としてのログイン状態を解除し、管理者通常ログイン状態（Ｓ１０６）に戻れるようにしてもよい。
【００６０】
以上説明したように、本実施形態では、管理者ユーザのログイン状態を、管理者としてのログイン状態と、一般ユーザとしてのログイン状態とに区別し、ログインの初期状態では、管理者設定操作を行なうことができない一般ユーザとしてのログイン状態としている。このため、管理者ユーザが通常の処理に不必要なメニューまでが表示されてしまうことを防ぎ、また、管理者ユーザが不要に管理者設定操作を行なってしまうことを防ぐことができる。
＜管理者設定操作＞
次に、管理者ユーザが管理者管理ログイン状態で行なう管理者設定操作について説明する。図１３に示した管理者管理ログイン画面５６０で、管理者設定ボタン５６４が押下されると、印刷装置１０は操作パネル１６０に図１４に示すような管理者設定画面５７０を表示する。
【００６１】
管理者設定画面５７０には、ユーザ設定ボタン５７１、ログイン設定ボタン５７２、ログ管理ボタン５７３、ネットワーク設定ボタン５７４が配置されている。
【００６２】
管理者設定画面５７０のユーザ設定ボタン５７１は、管理者ユーザがユーザに関する設定を行なうためのボタンである。ユーザ設定ボタン５７１が押下されると、印刷装置１０は操作パネル１６０に図１５に示すようなユーザ設定画面５８０を表示する。ユーザ設定画面５８０には、ユーザ情報管理テーブル１４４に登録されたユーザ名の一覧５８１が選択可能な状態で表示されており、さらに、追加ボタン５８２、変更ボタン５８３、消去ボタン５８４が配置されている。管理者としてログインしている管理者ユーザは、例えば、ユーザの登録情報の変更を行なう場合には、ユーザ名の一覧５８１で対象ユーザを選択し、変更ボタン５８３を押下すればよい。
【００６３】
変更ボタン５９３が押下されると、印刷装置１０は操作パネル１６０に図１６に示すような変更画面５９０を表示する。変更画面５９０には、ユーザ情報管理テーブル１４４に記録されている選択されたユーザに係るユーザ情報が表示される。ユーザ情報には、例えば、機能毎の使用許可が含まれる。管理者としてログインしている管理者ユーザは、変更画面５９０で任意のユーザ情報を変更することができる。変更されたユーザ情報はユーザ情報管理テーブル１４４に反映される。
【００６４】
管理者設定画面５７０のログイン設定ボタン５７２は、プリンタ機能、コピー機能、スキャナ機能ごとに、使用するためにログイン処理が必要であるかどうかを設定するためのボタンである。ログイン設定ボタン５７２が押下されると、印刷装置１０は操作パネル１６０に図１７に示すようなログイン設定画面６００を表示する。ログイン設定画面６００では、プリンタ機能、コピー機能、スキャナ機能ごとにログインが必要かどうかを任意に設定できるようになっている。管理者としてログインしている管理者ユーザは、例えば、プリンタ機能について、ログインが不要で不特定のユーザが使用することを許可する場合には、「不要」を設定し、ユーザ認証を経なければ使用できないようにする場合には「必要」を設定すればよい。なお、ログインが不要とされている機能については、各ユーザに設定された機能毎の使用許可が禁止になっているユーザも使用することが可能となるが、管理者ユーザの利便性を高めるために、ログインが不要とされている機能については、ユーザ毎の使用許可の設定を自動的に不要としておくことが望ましい。
【００６５】
本実施形態では、プリンタ機能についてログインが必要と設定されている場合には、よりセキュリティを高めるために、ＰＣ２０から印刷データを送信後、ユーザは、印刷装置１０上でログイン処理を行ない、ユーザ認証されると実際の印刷が開始されるようにする。このとき、印刷装置１０でユーザ認証後に自動的に印刷が開始されるか、ユーザのボタン操作等によって印刷が開始されるかを選択可能としておくことができる。
【００６６】
この選択は、ログイン設定画面６００で詳細設定ボタン６０１を押下することにより表示される、図１８に示すような詳細設定画面６１０で行なうことができる。詳細設定画面６１０には、プリンタ機能についてログインが必要と設定されている場合に、ログインすると自動的に印刷を開始するかどうかを設定する欄６１１が設けられている。本領域で「する」を選択すると、ユーザがログインすると即座に印刷が開始される。すなわち、通常印刷ジョブとして取り扱われる。一方、「しない」を選択すると、ユーザがログインした後で、操作パネル１６０印刷開始の操作を行なうことで印刷が開始される。すなわち、指示待ち印刷ジョブとして取り扱われる。
【００６７】
また、詳細設定画面６１０には、プリンタ機能についてログインが不要と設定されている場合に、すべての印刷ジョブを指示待ち印刷ジョブとして取り扱うかどうかを設定する欄６１２が設けられている。本領域で「する」を選択すると、ＰＣ２０から印刷データを送信すると即座に印刷が開始される。すなわち、通常印刷ジョブとして取り扱われる。一方、「しない」を選択すると、ＰＣ２０から印刷データを送信した後、操作パネル１６０にて印刷開始の操作を行なうことで印刷が開始される。すなわち、印刷ジョブが一律に指示待ち印刷ジョブとして取り扱われる。
＜印刷ジョブの状態表示＞
次に、本実施形態における印刷ジョブの状態表示について説明する。図１２等で示したログイン画面でプリンタ機能が選択されると、印刷装置１０は、印刷ジョブ管理部１５１２が管理する印刷ジョブの状態にしたがって、操作パネル１６０に印刷ジョブの状態を表示する。図１９は、印刷ジョブの状態を表示する画面を示しており、図１９（ａ）は、処理中の印刷ジョブを表示する画面６３０を示し、図１９（ｂ）は、指示待ち印刷ジョブを表示する画面６４０を示している。両画面はタブを操作することにより表示を切り替えることができるようになっている。
【００６８】
図１９（ａ）に示すように、処理中の印刷ジョブを表示する画面６３０には、処理中のジョブ名と状況とオーナー名等がリスト表示される。状況は、例えば、「プリント中」、「待機中」等が処理中の印刷ジョブの状態に応じて表示される。
【００６９】
図１９（ｂ）に示すように、指示待ち印刷ジョブを表示する画面６４０には、指示待ちのジョブ名とオーナー名等がリスト表示される。また、印刷の実行を指示するためのプリントボタン６４１が設けられている。ユーザは、指示待ちの印刷ジョブを選択してプリントボタン６４１を押下することで、選択した指示待ちの印刷ジョブの印刷実行を開始させることができる。
【００７０】
指示待ち印刷ジョブを表示する画面６４０において、ジョブ名に鍵のアイコン６４２が付されている指示待ち印刷ジョブは、暗証番号付き印刷ジョブであることを示している。暗証番号付き印刷ジョブの場合は、印刷ジョブが選択されると、図２０に示すような暗証番号を入力する領域が設けられた確認画面６５０を表示する。ユーザは、プリンタドライバ部２１０で設定した暗証番号を入力することで暗証番号付き印刷ジョブの印刷実行を開始させることができる。
【００７１】
ここで、本実施形態では、図１２等で示したログイン画面でプリンタ機能が選択されたときに、指示待ち印刷ジョブがある場合は、指示待ち印刷ジョブを表示する画面６４０を初期表示し、指示待ち印刷ジョブがない場合は、処理中の印刷ジョブを表示する画面６３０を初期表示する。
【００７２】
指示待ち印刷ジョブがある場合は、指示待ち印刷ジョブを表示する画面６４０が初期表示されるため、ユーザは、タブ操作によって画面を切り替えることなく即座に指示待ちの印刷ジョブを選択してプリントボタン６４１を押下することができる。したがって、指示待ちの印刷ジョブの印刷を開始させる際の操作性が高まることになる。
【００７３】
なお、本実施形態において、指示待ちの印刷ジョブがある場合は、図２１に示すように、３つの状況で起こり得る。すなわち、１）図１７で示したログイン設定画面６００でプリンタモードにログインが「必要」であると設定され、図１８に示した詳細設定画面６１０の領域６１１で指示待ちジョブのプリント自動開始が「しない」に設定されている場合、２）図１７で示したログイン設定画面６００でプリンタモードにログインが「不要」であると設定され、図１８に示した詳細設定画面６１０の領域６１２で指示待ちプリントが「する」に設定されている場合、３）暗証番号指定印刷の場合、に指示待ち印刷ジョブが発生し得る。
【００７４】
より具体的には、１）の状況でユーザが印刷ジョブの実行を指示した場合、２）の状況でユーザが印刷ジョブの実行を指示した場合、３）ユーザが暗証番号指定印刷を実行した場合、に指示待ち印刷ジョブが発生する。指示待ち状態の印刷ジョブは、ユーザから印刷開始の指示を受け付けると、処理中状態に移行する。したがって、指示待ち印刷ジョブを表示する画面６４０のリストから消去され、処理中の印刷ジョブを表示する画面６３０のリストに表示される。
【００７５】
図２１に示すように、指示待ち印刷ジョブがある場合は、指示待ち印刷ジョブを表示する画面６４０を初期表示し、その他の場合は、処理中の印刷ジョブを表示する画面６３０を初期表示する。ここで、初期表示される画面以外が表示された場合に、例えば、所定の時間が経過すると初期表示される画面に戻るようにしてもよい。また、図示しないリセットキーが押された場合も初期表示される画面に戻るようにしてもよい。
＜カウント表示＞
印刷装置１０の表示制御部１８０は、操作パネル１６０の所定の操作、例えば、図示しないカウント表示ボタンの押下を受け付けることによって、カウント表示画面を操作パネル１６０に表示する。カウント表示画面は、タブにより３つの画面が切り替え可能となっている。３つの画面は、図２２（ａ）に示すような詳細カウント画面６６０、図２２（ｂ）に示すような制限枚数画面６７０、図２２（ｃ）に示すようなチャージカウント画面６８０となっている。
【００７６】
詳細カウント画面６６０には、用紙サイズ毎の白黒、単色カラー、カラー別の印刷枚数が表示される。制限枚数画面６７０には、ログインしているユーザの制限枚数に関する情報が表示される。チャージカウント画面６８０には、課金条件に対応する情報、例えば、課金単価が用紙サイズ毎に単色／カラー別に設定されている場合には、用紙サイズ毎に単色／カラー別の印刷枚数が表示される。
【００７７】
カウント表示画面の各表示内容は、表示制御部１８０が、ユーザ情報管理テーブル１４４、チャージ処理部１５２、ログ情報記録領域１５４１等から情報を収集することで作成することができる。
【００７８】
表示制御部１８０は、図２３に示すような基準にしたがって、カウント表示画面に表示する画面および初期表示する画面を変化させる。すなわち、チャージ処理部１５２におけるチャージカウントの設定がＯＮであるかＯＦＦであるか、ログイン設定画面６００で設定されたプリンタモードのログイン認証が「必要」であるか「不要」であるに応じてカウント表示画面に表示する画面および初期表示する画面を変化させる。ここで、「×」は表示しない画面を示し、「○」「◎」は表示する画面を示し、「◎」は初期表示する画面を示している。
【００７９】
本図に示すように、チャージカウントが「ＯＦＦ」の場合は、チャージカウント画面６８０は意味がないため表示しない。また、ログイン認証が「不要」の場合は、ユーザが特定されないため、ログインしているユーザの制限枚数に関する情報を示す制限枚数画面６７０は表示しない。
【００８０】
このため、チャージカウントが「ＯＦＦ」で、ログイン認証が「不要」の場合は、詳細カウント画面６６０だけを表示する。チャージカウントが「ＯＮ」で、ログイン認証が「不要」の場合は、詳細カウント画面６６０とチャージカウント画面６８０とが表示可能となり、より重要度の高いチャージカウント画面６８０を初期表示する。チャージカウントが「ＯＦＦ」で、ログイン認証が「必要」の場合は、詳細カウント画面６６０と制限枚数画面６７０とが表示可能となり、ユーザにとってより重要な制限枚数画面６７０を初期表示する。チャージカウントが「ＯＮ」で、ログイン認証が「必要」の場合は、すべての画面が表示可能となり、ユーザにとってより重要な制限枚数画面６７０を初期表示する。ただし、管理者ユーザがログインしている場合には、管理者ユーザにとってより重要なチャージカウント画面６８０を初期表示するようにしてもよい。また、初期表示される画面以外が表示された場合に、例えば、所定の時間が経過すると初期表示される画面に戻るようにしてもよい。また、図示しないリセットキーが押された場合も初期表示される画面に戻るようにしてもよい。
＜状態確認表示＞
印刷装置１０の表示制御部１８０は、図８に示した待機画面５１０における状態確認ボタン５１５、図１１に示したモード選択画面５４０における状態確認ボタン５４６、図１２に示したモード選択画面５５０における状態確認ボタン５５５、図１３に示したモード選択画面５６０における状態確認ボタン５６５の押下を受け付けることによって、状態確認画面を操作パネル１６０に表示する。状態確認画面は、タブにより３つの画面が切り替え可能となっている。３つの画面は、図２４（ａ）に示すような一般情報画面７００、図２４（ｂ）に示すようなシステム情報画面７１０、図２４（ｃ）に示すようなユーザ情報画面７２０となっている。
【００８１】
一般情報画面７００には、インクの残量、各給紙装置にセットされた印刷用紙のサイズ、種類等が表示される。システム上画面７１０には、印刷装置１０の機種名、シリアル番号、ファームウェアバージョン等が表示される。ユーザ情報画面７２０には、ユーザ名、パスワード変更ボタン、所属等が表示される。状態確認表示画面の各表示内容は、表示制御部１８０が、設定管理部１４０の設定テーブル１４２、ユーザ情報管理テーブル１４４等から情報を収集することで作成することができる。
【００８２】
表示制御部１８０は、ユーザがログインしているかどうかによって状態確認画面に初期表示する画面を変化させる。すなわち、ログインしている場合、具体的には、図１１、図１２、図１３に示したモード選択画面（５４０、５５０、５６０）で状態確認ボタン（５４６、５５５、５６５）が押下された場合には、ユーザが特定されているため、ユーザにとってより重要なユーザ情報画面７２０を初期表示する。一方、ログインしていない状態、具体的には、図８に示した待機画面５１０で状態確認ボタン５１５が押下された場合には、一般情報画面７００を初期表示する。状態確認画面においても、初期表示される画面以外が表示された場合に、例えば、所定の時間が経過すると初期表示される画面に戻るようにしてもよい。また、図示しないリセットキーが押された場合も初期表示される画面に戻るようにしてもよい。
【００８３】
以上説明したように、本実施形態によれば、指示待ちの印刷ジョブの印刷を開始させる際の操作性を高める。また、ユーザにとってより有益な情報を初期画面として表示させることができる。
【図面の簡単な説明】
【００８４】
【図１】本発明に係るネットワーク印刷システムの構成の一例を示す図である。
【図２】ネットワーク印刷システムにおける印刷装置とＰＣの機能構成を示すブロック図である。
【図３】印刷装置の設定管理部の主要な機能構成を示すブロック図である。
【図４】ユーザ情報管理テーブルの構成の一例を示す図である。
【図５】印刷装置のジョブ管理部の主要な機能構成を示すブロック図である。
【図６】ログ情報記録領域が記憶するログの構成を示す図である。
【図７】印刷装置におけるログイン処理について説明するフローチャートである。
【図８】操作パネルに表示される待機画面の一例を示す図である。
【図９】操作パネルに表示されるユーザ選択画面の一例を示す図である。
【図１０】操作パネルに表示されるパスワード入力画面の一例を示す図である。
【図１１】一般ユーザとしてログインした場合に操作パネルに表示される一般ユーザログイン画面の一例を示す図である。
【図１２】管理者通常ログイン状態で操作パネルに表示される管理者通常ログイン画面の一例を示す図である。
【図１３】管理者管理ログイン状態で操作パネルに表示される管理者管理ログインの一例を示す図である。
【図１４】操作パネルに表示される管理者設定画面の一例を示す図である。
【図１５】操作パネルに表示されるユーザ設定画面の一例を示す図である。
【図１６】操作パネルに表示される変更画面の一例を示す図である。
【図１７】操作パネルに表示されるログイン設定画面の一例を示す図である。
【図１８】操作パネルに表示される詳細設定画面の一例を示す図である。
【図１９】操作パネルに表示される印刷ジョブの状態表示の一例を示す図である。
【図２０】操作パネルに表示される暗証番号を入力する確認画面の一例を示す図である。
【図２１】操作パネルに表示される印刷ジョブの状態表示の初期表示画面の規則を示す図である。
【図２２】操作パネルに表示されるカウント表示画面の一例を示す図である。
【図２３】操作パネルに表示されるカウント表示画面の規則を示す図である。
【図２４】操作パネルに表示される状態確認画面の一例を示す図である。
【符号の説明】
【００８５】
１０…印刷装置、２０…ＰＣ、４０…ＩＣカード、７０…コンピュータネットワーク、１００…ジョブ管理部、１１０…印刷実行部、１２０…画像読取部、１３０…画像処理部、１４０…設定管理部、１４１…印刷装置設定管理部、１４２…設定テーブル、１４３…ユーザ情報管理部、１４４…ユーザ情報管理テーブル、１４５…使用履歴管理テーブル、１５０…ジョブ管理部、１５１…ジョブ受付部、１５２…チャージ処理部、１５３…ジョブ処理部、１５４…ログ情報管理部、１５５…プリンタモード処理部、１５６…コピーモード処理部、１５７…スキャナモード処理部、１６０…操作パネル、１７０…通信処理部、表示制御部１８０、１９０…ＩＣカードリーダ、２１０…プリンタドライバ部、２２０…スキャナドライバ部、２３０…ブラウザ部、２４０…通信処理部、１５４１…ログ情報記録領域、１５１１…印刷ジョブ実行部、１５１２…印刷ジョブ管理部
【図１】
2010093456.tif 000003
【図２】
2010093456.tif 000004
【図３】
2010093456.tif 000005
【図４】
2010093456.tif 000006
【図５】
2010093456.tif 000007
【図６】
2010093456.tif 000008
【図７】
2010093456.tif 000009
【図８】
2010093456.tif 000010
【図９】
2010093456.tif 000011
【図１０】
2010093456.tif 000012
【図１１】
2010093456.tif 000013
【図１２】
2010093456.tif 000014
【図１３】
2010093456.tif 000015
【図１４】
2010093456.tif 000016
【図１５】
2010093456.tif 000017
【図１６】
2010093456.tif 000018
【図１７】
2010093456.tif 000019
【図１８】
2010093456.tif 000020
【図１９】
2010093456.tif 000021
【図２０】
2010093456.tif 000022
【図２１】
2010093456.tif 000023
【図２２】
2010093456.tif 000024
【図２３】
2010093456.tif 000025
【図２４】
2010093456.tif 000026